(57)【要約】【課題】折畳み式作業用踏み台を提供する。【解決手段】床部の上で高所作業を行う作業者の荷重を支持するための支持手段(4)が合体状態とされる膨縮手段(5)と補強手段(6)により構成され、膨縮手段(5)は、流体を充填することにより膨張すると共に排出することにより収縮するバッグ(7)により構成され、膨張時に少なくとも径方向に押圧力を生成する押圧面(9)を備え、補強手段(6)は、支持手段の周方向に関して相互に分離自在かつ固定自在に配置される複数の骨部材(8)を備え、前記バッグの押圧面(9)の押圧力を受けることにより骨部材(8)の固定状態を保持するように構成されており、バッグ(7)を収縮させることにより、該バッグを折畳み自在かつ骨部材(8)を分解自在に構成している。【選択図】図１
2019203317.tif 000002
【特許請求の範囲】
【請求項１】
上下に間隔をあけて配置される床部(2)及び座部(3)と、前記上下間隔の空間を埋める支持手段(4)を備え、床部の上で高所作業を行う作業者の荷重を前記支持手段により支持するように構成した作業用踏み台において、
前記支持手段(4)は、合体させられた状態で前記荷重に対抗する膨縮手段(5)と補強手段(6)により構成され、
前記膨縮手段(5)は、流体を充填することにより膨張すると共に排出することにより収縮するバッグ(7)により構成され、膨張時に少なくとも支持手段の径方向に押圧力を生成する押圧面(9)を備え、
前記補強手段(6)は、支持手段の周方向に関して相互に分離自在かつ固定自在に配置される複数の骨部材(8)を備え、該骨部材は、前記バッグの押圧面(9)の押圧力を受けることにより固定状態を保持するように構成されており、
前記バッグ(7)を収縮させることにより、該バッグを折畳み自在かつ前記骨部材(8)を分解自在に構成して成ることを特徴とする折畳み式作業用踏み台。
【請求項２】
前記膨縮手段(5)は、支持手段の中心部に位置するコアバッグ(7A)と、該コアバッグの周囲を包囲する筒状バッグ(7B)から成り、両バッグを分離自在に構成すると共に、両バッグの相対向する外周面と内周面のそれぞれに前記押圧面(9A)(9B)を形成し、
前記補強手段(6)の骨部材(8)は、前記コアバッグと筒状バッグの間に介装されるプレート(8A)により構成されており、
前記コアバッグ(7A)及び筒状バッグ(7B)を膨張した状態で前記押圧面(9A)(9B)により前記プレート(8A)を挟着状態で固定保持するように構成して成ることを特徴とする請求項１に記載の折畳み式作業用踏み台。
【請求項３】
前記補強手段(6)は、前記骨部材を支持手段の周方向に着脱自在に連結して成る支柱(6A)を構成すると共に、隣接する骨部材の相互には、支持手段の径方向に関して求心方向の押圧力を受けたとき、連結固定状態を保持する連結部(19)が設けられており、
前記膨縮手段(5)は、前記補強手段を構成する支柱(6A)の周囲を包囲する筒状バッグ(7C)により構成され、該バッグの内周面に前記押圧面(9C)を形成し、
前記筒状バッグ(7C)の膨張により前記押圧面(9C)の押圧力を介して骨部材(8)により形成された支柱(6A)を外周から緊締状態で固定保持するように構成して成ることを特徴とする請求項１に記載の折畳み式作業用踏み台。
【請求項４】
前記補強手段(6)は、前記骨部材を支持手段の周方向に着脱自在に連結して成る囲繞壁(6B)を構成すると共に、隣接する骨部材の相互には、支持手段の径方向に関して遠心方向の押圧力を受けたとき、連結固定状態を保持する連結部(22)が設けられており、
前記膨縮手段(5)は、前記補強手段を構成する囲繞壁(6B)の内部に挿入されるコアバッグ(7D)により構成され、該バッグの外周面に前記押圧面(9D)を形成し、
前記コアバッグ(7D)の膨張により前記押圧面(9D)の押圧力を介して骨部材により形成された囲繞壁(6B)を内周から緊締状態で固定保持するように構成して成ることを特徴とする請求項１に記載の折畳み式作業用踏み台。
【発明の詳細な説明】
【技術分野】
【０００１】
本発明は、作業者が上部の床部に搭乗することにより高所作業を行うための作業用踏み台であって、特に、分解と折畳みを可能にした折畳み式作業用踏み台に関する。
【背景技術】
【０００２】
従来、種々の作業用踏み台が提供されており、上下に間隔をあけて配置される床部及び座部と、前記上下間隔の空間を埋める支持手段を備え、床部の上で高所作業を行う作業者の荷重を前記支持手段により支持するように構成されている。
【０００３】
ところで、作業用踏み台は、運搬や保管の便宜のためには、不使用時に折畳み自在とされていることが好ましい。例えば、脚立式とされた踏み台の場合、床部を形成する天板から下向きに延設した一対の梯子状の脚体を開閉自在に枢結し、不使用時には、脚体を閉脚することにより折畳み姿勢とされる。しかしながら、脚体それ自体は折畳むことできないので、折畳み状態でも嵩高く、コンパクトでないという問題がある。
【０００４】
また、脚立式に類似する構造の踏み台に関して、矩形板状とされた天板を二つ折り自在に構成し、折曲方向となる天板の前縁と後縁から脚板を延設し、前後の脚板を連結する側板を二つ折り自在に構成したものも提案されている（特許文献１）。しかしながら、この場合も、脚板それ自体は折畳むことできないので、脚板を嵩低くコンパクトに折畳むことができない。
【先行技術文献】
【特許文献】
【０００５】
【特許文献１】特開２０１８−４０２０４号公報
【特許文献２】特開２０１５−１３９５５３号公報
【発明の概要】
【発明が解決しようとする課題】
【０００６】
上記問題を解決するため本発明が知得したところは、上下に間隔をあけて配置される床部及び座部と、前記上下間隔の空間を埋める支持手段を備え、床部の上で高所作業を行う作業者の荷重を前記支持手段により支持するように構成した作業用踏み台において、前記支持手段をエアバッグ等のバッグから成る膨縮手段により構成し、これにより、使用時には、流体の充填により膨張するバッグにより前記荷重を支持する一方、不使用時には、流体の排出により収縮するバッグを折畳み自在とする点にある。
【０００７】
しかしながら、エアバッグ等のバッグは、膨張させた踏み台の使用状態において、作業者の荷重を受けると圧縮されるため、作業者の姿勢が不安定となり、踏み台から転落する危険がある。
【０００８】
このため、本発明は、前記支持手段をバッグだけではなく、バッグと補強手段により構成し、両手段により作業者の荷重に対抗可能な構造を提供し、この際、補強手段は、支持手段の周方向に関して分離自在かつ固定自在な複数の骨部材により構成することにより、バッグを収縮したときは骨部材を分離・分解自在にすると共に、バッグを膨張したときは骨部材を固定保持させるように構成することが好ましいことを知見し、このような折畳み式作業用踏み台の提供を課題とするものである。
【課題を解決するための手段】
【０００９】
そこで、本発明が前記課題を解決するための手段として構成したところは、上下に間隔をあけて配置される床部及び座部と、前記上下間隔の空間を埋める支持手段を備え、床部の上で高所作業を行う作業者の荷重を前記支持手段により支持するように構成した作業用踏み台において、前記支持手段は、合体することにより前記荷重に対抗する膨縮手段と補強手段により構成され、前記膨縮手段は、流体を充填することにより膨張すると共に排出することにより収縮するバッグにより構成され、膨張時に少なくとも支持手段の径方向に押圧力を生成する押圧面を備え、前記補強手段は、支持手段の周方向に関して相互に分離自在かつ固定自在に配置される複数の骨部材を備え、該骨部材は、前記バッグの押圧面の押圧力を受けることにより固定状態を保持するように構成されており、前記バッグを収縮させることにより、該バッグを折畳み自在かつ前記骨部材を分解自在に構成して成る点にある。
【００１０】
本発明の実施形態において、前記膨縮手段は、支持手段の中心部に位置するコアバッグと、該コアバッグの周囲を包囲する筒状バッグから成り、両バッグを分離自在に構成すると共に、両バッグの相対向する外周面と内周面のそれぞれに前記押圧面を形成し、前記補強手段の骨部材は、前記コアバッグと筒状バッグの間に介装されるプレートにより構成されており、前記コアバッグ及び筒状バッグを膨張することにより前記押圧面が前記プレートを挟着状態で固定保持するように構成している。
【００１１】
本発明の別の実施形態において、前記補強手段は、前記骨部材を支持手段の周方向に着脱自在に連結して成る支柱を構成すると共に、隣接する骨部材の相互には、支持手段の径方向に関して求心方向の押圧力を受けたとき、連結固定状態を保持する連結部が設けられており、前記膨縮手段は、前記補強手段を構成する支柱の周囲を包囲する筒状バッグにより構成され、該バッグの内周面に前記押圧面を形成し、前記筒状バッグの膨張により前記押圧面の押圧力を介して骨部材により形成された支柱を外周から緊締状態で固定保持するように構成している。
【００１２】
本発明の更に別の実施形態において、前記補強手段は、前記骨部材を支持手段の周方向に着脱自在に連結して成る囲繞壁を構成すると共に、隣接する骨部材の相互には、支持手段の径方向に関して遠心方向の押圧力を受けたとき、連結固定状態を保持する連結部が設けられており、前記膨縮手段は、前記補強手段を構成する囲繞壁の内部に挿入されるコアバッグにより構成され、該バッグの外周面に前記押圧面を形成し、前記コアバッグの膨張により前記押圧面の押圧力を介して骨部材により形成された囲繞壁を内周から緊締状態で固定保持するように構成している。
【発明の効果】
【００１３】
本発明によれば、床部２を支持する支持手段４は、膨縮自在なバッグに７より構成された膨縮手段５と、前記バッグの膨張による押圧面９の押圧力を受けることにより固定状態を保持される骨部材８から成る補強手段６により構成されている。そこで、作業用踏み台１の使用時においては、膨張された膨縮手段５と補強手段６を合体状態に形成した支持手段４により、床部２の上で高所作業を行う作業者の荷重に対抗することができ、従って作業者の荷重により圧縮変形されるようなことはなく、作業者を安定した状態で安全に支持することができる。
【００１４】
そして、作業用踏み台１の不使用時においては、バッグ７を収縮させることにより、骨部材８を相互に分離させることにより補強手段６を分解することができ、収縮させたバッグ７は、ロール状に巻回し又は折曲・折重ねることによりコンパクトに折畳むことができるので、運搬及び保管を容易に行うことができる。
【図面の簡単な説明】
【００１５】
【図１】本発明の第１実施形態に係る折畳み式作業用踏み台に関して、膨縮手段を膨張させた使用時の状態を示す斜視図である。
【図２】第１実施形態に関して、膨縮手段を膨張させると共に補強手段を固定保持した使用時の状態の断面を示す斜視図である。
【図３】第１実施形態に関して、コアバッグと筒状バッグを分離した状態で示す斜視図である。
【図４】第１実施形態に関して、コアバッグ及び筒状バッグを収縮させると共に補強手段を分解した不使用時の状態を示す断面図である。
【図５】第１実施形態に関して、コアバッグと筒状バッグを膨張させることにより補強手段を固定保持した使用時の状態の縦断面を示しており、図６のＡ−Ａ線断面図である。
【図６】図５に示す踏み台の横断面図である。
【図７】本発明の第２実施形態に係る折畳み式作業用踏み台に関して、膨縮手段を膨張させた使用時の状態を示す斜視図である。
【図８】第２実施形態に関して、天板と、膨縮手段を構成する筒状バッグと、補強手段としての支柱を構成する骨部材と、座板を分離した状態で示す斜視図である。
【図９】第２実施形態に関して、筒状バッグを膨張させることにより支柱を固定保持した状態を示しており、（Ａ）は縦断面図、（Ｂ）は横断面図である。
【図１０】本発明の第３実施形態に係る折畳み式作業用踏み台に関して、膨縮手段を膨張させた使用時の状態を示す斜視図である。
【図１１】第３実施形態に関して、コアバッグを膨張させることにより固定された囲繞壁と、天板と、座板分離した状態で示す斜視図である。
【図１２】第３実施形態に関して、囲繞壁を構成する骨部材と、コアバッグを分離した状態で示す斜視図である。
【図１３】第３実施形態に関して、コアバッグを膨張させることにより囲繞壁を固定保持した状態を示しており、（Ａ）は縦断面図、（Ｂ）は横断面図である。
【発明を実施するための形態】
【００１６】
以下図面に基づいて本発明の好ましい実施形態を詳述する。
【００１７】
図１ないし図６は本発明の第１実施形態を示し、図２ないし図９は本発明の第２実施形態を示し、図１０ないし図１３は本発明の第３実施形態を示している。
【００１８】
全ての実施形態に共通する技術的構成として、本発明の作業用踏み台１は、上下に間隔をあけて配置される床部２及び座部３と、前記上下間隔の空間を埋める支持手段４を備え、床部２の上で高所作業を行う作業者の荷重を前記支持手段４により支持する構成とされている。従って、座部２を接地することにより設置した状態で、床部２に作業者が搭乗することにより、高所作業を行うことができる。
【００１９】
前記支持手段４は、互いに合体することにより作業者の荷重に対抗する膨縮手段５と補強手段６により構成されている。
【００２０】
前記膨縮手段５は、エア等の流体を充填することにより膨張すると共に排出することにより収縮するバッグ７により構成され、該バッグ７は、膨張時には、補強手段６と協働して前記支持手段４を構成し、収縮時には、ロール状に巻回し又は折曲・折重ねることによりコンパクトに折畳むことができる。
【００２１】
前記補強手段６は、支持手段４の周方向に関して相互に分離自在かつ固定自在に配置される複数の骨部材８により構成され、該骨部材８は、前記バッグ７を膨張したときに、該バッグ７と協働して前記支持手段４を構成し、前記バッグ７を収縮したときは、周方向に分離可能とされ、分解することができる。
【００２２】
このように、膨縮手段５を提供するバッグ７と、補強手段６を提供する骨部材８は、互いに合体することにより作業者の荷重に対抗する支持手段４を構成し、これにより踏み台１としての使用を可能にする。
【００２３】
この際、バッグ７は、膨張時に少なくとも支持手段４の径方向に押圧力を生成する押圧面９を設けており、これに対応し、骨部材８は、前記押圧面９の押圧力を受けて固定保持されることにより補強手段６を形成する。この状態で、バッグ７と骨部材８が合体され、協働することにより、作業者の荷重に対抗する支持手段４を提供する。
【００２４】
バッグ７は、ゴムボート等に使用されているようなゴム引きされた強靭なカンバス等のシート材により形成することが好ましく、エアバッグを構成する場合、コンプレッサ等のエア供給手段からエアを受取るための吸排気口１０を設けている。
【００２５】
従って、作業用踏み台１は、工場や、建築現場や建設現場等のようなコンプレッサ等のエア供給手段が設置された場所において、バッグ７を膨張させることにより、簡単容易に高所作業のために供することができる。
【００２６】
（第１実施形態）
図１ないし図６に示す第１実施形態において、前記膨縮手段５は、支持手段４の中心部に位置するコアバッグ７Ａと、該コアバッグ７Ａの周囲を包囲する筒状バッグ７Ｂから成り、両バッグ７Ａ、７Ｂを分離自在に構成すると共に、両バッグの相対向する外周面と内周面のそれぞれに前記押圧面９Ａ、９Ｂを形成している。
【００２７】
図示実施形態の場合、前記コアバッグ７Ａは、六角柱を表す柱状キャビティ１１を横方向に並設することにより平面視がほぼ星形となるように形成され、前記押圧面９Ａを周方向に断続的に設け、底部に座板３Ａを設けることにより前記座部３を形成している。尚、柱状キャビティ１１は、コアバッグ７Ａの上部中央に設けられた吸排気口１０Ａに対し連通路１２を介して連通させられている。
【００２８】
前記筒状バッグ７Ｂは、横断面をそれぞれ矩形とされた外周壁１３ａと内周壁１３ｂにより角筒状キャビティ１４を形成し、外周壁１３ａに吸排気口１０Ｂを設けており、外周壁１３ａの上端部には、角筒状キャビティ１４の上部を外周縁部に沿って隆起させる膨隆部１３ｃが形成されている。筒状バッグ７Ｂの内周壁１３ｂに囲まれた中心空間部１５は、下部を開口すると共に、上部を二重壁に形成された上壁１６により閉塞され、該上壁１６に内装された天板２Ａにより前記床部２を形成している。尚、図示実施形態の場合、前記上壁１６及び天板２Ａの中央部を貫通する窓孔１７が開設され、コアバッグ７Ａの吸排気口１０Ａを受入れ自在としている。
【００２９】
前記中心空間部１５には、筒状バッグ７Ｂの内周壁１３ｂに近接して、横断面が矩形とされた筒状の保持シート１８が上壁１６から垂設されている。
【００３０】
前記補強手段６の骨部材８は、前記コアバッグ７Ａと筒状バッグ７Ｂの間に介装されるプレート８Ａにより構成されている。図示実施形態の場合、筒状バッグ７Ｂの横断面が矩形とされた内周壁１３ｂの各辺と前記保持シート１８の間に挿入される４枚のプレート８Ａにより補強手段６を構成している。
【００３１】
（不使用時の形態）
図示省略しているが、コアバッグ７Ａ及び筒状バッグ７Ｂは、エアを充填していない収縮状態で、相互に分離され、それぞれロール状に巻回し又は折曲・折重ねることによりコンパクトに折畳まれる。
【００３２】
図示実施形態の場合、コアバッグ７Ａは、座板３Ａを設けているので、該座板３Ａの上に折重ねることにより折畳み可能である。この際、座板３Ａを着脱自在に構成しておけば、座板３Ａを取外した状態でコアバッグ７Ａをロール状に巻回することにより折畳むこともできる。
【００３３】
同様に、図示実施形態の場合、筒状バッグ７Ｂは、天板２Ａを設けているので、該天板２Ａの上に折重ねることにより折畳み可能である。この際、天板２Ａを着脱自在に構成しておけば、天板２Ａを取外した状態で筒状バッグ７Ｂをロール状に巻回することにより折畳むこともできる。
【００３４】
折畳みに際して、４枚のプレート８Ａは筒状バッグ７Ｂから分離され、コンパクトに積層される。
【００３５】
（使用時の形態）
作業用踏み台１として高所作業に供するときは、図４に示すように、筒状バッグ７Ｂの内周壁１３ｂと保持シート１８の間にプレート８Ａを挿入し、筒状バッグ７Ｂを筒状に保形させた状態で、中心開口部１５の下部開口からコアバッグ７Ａを挿入し、該コアバッグ７Ａの吸排気口１０Ａを窓孔１７に嵌合する。
【００３６】
この状態で、吸排気口１０Ａを介してコアバッグ７Ａの柱状キャビティ１１にエアを供給することにより膨張させると共に、吸排気口１０Ｂを介して筒状バッグ７Ｂの筒状キャビティ１４にエアを供給することにより膨張させると、コアバッグ７Ａとプレート８Ａと筒状バッグ７Ｂの３者が合体され、膨縮手段５と補強手段６の協働により、支持手段４を構成し、図１及び図２並びに図５及び図６に示すようなキュービック状の作業用踏み台１が提供される。
【００３７】
作業用踏み台１は、座部３を接地させることにより設置され、作業者が床部２に搭乗することにより高所作業を行うために供される。図示実施形態の場合、コアバッグ７Ａの底部に設けられた座板３Ａにより座部３が形成され、更に、膨張状態とされた筒状バッグ７Ｂの底部によっても座部３が形成されている。
【００３８】
膨張に際して、図５に示すように、コアバッグ７Ａが筒状バッグ７Ｂの上壁１６及び座板２Ａを上昇させると共に下方から支持する。また、図５及び図６に示すように、プレート８Ａは、膨張したコアバッグ７Ａの押圧面９Ａと筒状バッグ７Ｂの押圧面９Ｂにより内側と外側から強く挟着され、緊締状態で固定保持される。
【００３９】
従って、作業者が床部２に搭乗して高所作業を行う際、膨張したコアバッグ７Ａ及び筒状バッグ７Ｂから成る膨縮手段５と、固定保持されたプレート８Ａから成る補強手段６により、相互に合体状態として協働する支持手段４が構成されており、これにより作業者の荷重に対抗するので、荷重により膨縮手段５が圧縮変形されるようなことはなく、作業者を安定した状態で安全に支持することができる。
【００４０】
（第２実施形態）
図７ないし図９に示す第２実施形態において、支持手段４を構成する補強手段６は、多数の骨部材８を円周状に配置すると共に周方向に着脱自在に連結することにより筒状の支柱６Ａを形成するように構成されている。この際、隣接する骨部材８の相互には、支持手段４の径方向に関して求心方向の押圧力を受けたとき、連結固定状態を保持する連結部１９が設けられている。図示実施形態の場合、連結部１９は、骨部材８の両側縁から前記支柱６Ａの中心に向かう平坦な接合面により形成されている。従って、相互に連結部１９を接合した多数の骨部材８を周方向に配列することにより筒状の支柱６Ａを組立てた状態で、骨部材８の外側から支柱６Ａの中心に向かう押圧力を与えると、隣接する連結部１９を相互に圧接することにより、骨部材８が固定保持され、支柱６Ａの形態を維持するように構成されている。
【００４１】
第２実施形態における支持手段４を構成する膨縮手段５は、前記補強手段６を構成する支柱６Ａの周囲を包囲する筒状バッグ７Ｃにより構成され、該バッグ７Ｃの内周面に押圧面９Ｃを形成している。前記筒状バッグ７Ｃは、図示のような角筒状に形成する他、円筒状に形成しても良く、吸排気口１０Ｃを介してエアの充填と排出を可能とされ、膨張と収縮が可能である。
【００４２】
図示構成の場合、支持手段４の頂部に配置される天板２Ｂと、底部に配置される座板３Ｂにより、それぞれ床部２と座部２が形成される。天板２Ｂ及び座板３Ｂは、それぞれ前記支柱６Ａの上部開口と下部開口に挿入される栓部２０、２１が設けられている。
【００４３】
（不使用時の形態）
膨縮手段５を構成する筒状バッグ７Ｃは、エアを充填していない収縮した状態で、ロール状に巻回し又は折重ねることによりコンパクトに折畳むことができる。
【００４４】
補強手段６を構成する多数の骨部材８は、相互に分離させることにより、分解することができる。
【００４５】
前記天板２Ｂ及び座板３Ｂは、コンパクトに積層することができる。
【００４６】
（使用時の形態）
作業用踏み台１として高所作業に供するときは、骨部材８を周方向に連設させることにより支柱６Ａを形成しながら、収縮状態の筒状バッグ７Ｃを外挿させ、支柱６Ａの上部開口に天板２Ｂの栓部２０を挿入すると共に、下部開口に座板３Ｂの栓部２１を挿入する。
【００４７】
この状態で、吸排気口１０Ｃを介して筒状バッグ７Ｃにエアを供給することにより膨張させると、図９に示すように、筒状バッグ７Ｃの内周面の押圧面９Ｃが支柱６Ａを抱持しながら筒中心部に向けて押圧し、隣接する骨部材８の連結部１９を圧接状態で固定することにより、支柱６Ａを外周から緊締状態で固定保持する。この際、求心方向に押圧された支柱６Ａの上部及び下部により、天板２Ｂの栓部２０及び座板３Ｂの栓部２１が抱着され、床部２及び座部３を提供する。
【００４８】
これにより、固定保持された骨部８から成る支柱６Ａと筒状バッグ７Ｃが合体され、膨縮手段５と補強手段６の協働により、支持手段４を構成し、図示のようなキュービック状の作業用踏み台１が提供される。
【００４９】
従って、作業者が床部２に搭乗して高所作業を行う際、合体した膨縮手段５と補強手段６の協働により構成された支持手段４が作業者の荷重に対抗するので、荷重により膨縮手段５が圧縮変形されるようなことはなく、作業者を安定した状態で安全に支持することができる。
【００５０】
（第３実施形態）
図１０ないし図１３に示す第３実施形態において、支持手段４を構成する補強手段６は、骨部材８を構成するパネル８Ｂを周方向に着脱自在に連結して成る囲繞壁６Ｂを構成すると共に、隣接するパネルの相互には、支持手段の径方向に関して遠心方向の押圧力を受けたとき、連結固定状態を保持する連結部２２が設けられている。
【００５１】
図例の場合、連結部２２は、パネル８Ｂの左右一方の縁部に設けた嵌合溝２２ａと、他方の縁部に設けた嵌合リブ２２ｂから成り、隣接するパネル８Ｂの間において、嵌合リブ２２ｂを嵌合溝２２ａに嵌挿させることにより着脱自在に連結されるように構成されている。従って、嵌合リブ２２ｂを嵌合溝２２ａから抜取ると、パネル８Ｂは相互に分離自在とされ、嵌合リブ２２ｂを嵌合溝２２ａに嵌挿して囲繞壁６Ｂを組立てた状態で、内側から遠心方向の押圧力を与えると、嵌合が緊密とされ連結状態が強化されるように構成されている。しかしながら、連結部２２は、図示の構成に限定されるものではなく、要するに、骨部材８を着脱自在に連結することにより囲繞壁６Ｂを形成することができ、該囲繞壁の内側から遠心方向の押圧力を受けたとき、該押圧力を受止めるように連結固定状態を保持する構成とされたものであれば良い。
【００５２】
第３実施形態の支持手段４を構成する膨縮手段５は、前記囲繞壁６Ｂの内部に挿入されるコアバッグ７Ｄにより構成されており、該バッグ７Ｄの外周面に押圧面９Ｄを形成している。コアバッグ７Ｄは、図示のような角筒状に形成する他、円筒状や円柱状に形成しても良く、吸排気口１０Ｄを介してエアの充填と排出を可能とされ、膨張と収縮が可能である。尚、この吸排気口１０Ｄに対応して、囲繞壁６Ｂを形成するパネル８Ｂに窓孔２３が開設されている。
【００５３】
図示構成の場合、支持手段４の頂部に配置される天板２Ｃと、底部に配置される座板３Ｃにより、それぞれ床部２と座部２が形成される。天板２Ｃ及び座板３Ｃは、それぞれ角筒状に形成されたコアバッグ７Ｄの上部開口と下部開口に挿入される栓部２４、２５が設けられている。
【００５４】
（不使用時の形態）
膨縮手段５を構成するコアバッグ７Ｄは、エアを充填していない収縮した状態で、ロール状に巻回し又は折重ねることによりコンパクトに折畳むことができる。
【００５５】
補強手段６を構成する多数のパネル８Ｂは、相互に分離させることにより、分解することができる。
【００５６】
前記天板２Ｃ及び座板３Ｃは、コンパクトに積層することができる。
【００５７】
（使用時の形態）
作業用踏み台１として高所作業に供するときは、連結部２２の連結を介してパネル８Ｂを周方向に連設させることにより囲繞壁６Ｂを形成し、収縮状態のコアバッグ７Ｄを挿入し、コアバッグ７Ｄの上部開口に天板２Ｃの栓部２４を挿入すると共に、下部開口に座板３Ｃの栓部２５を挿入する。
【００５８】
この状態で、窓孔２３に臨ませられた吸排気口１０Ｄを介してコアバッグ７Ｄにエアを供給することにより膨張させると、図１３に示すように、コアバッグ７Ｄの外周面の押圧面９Ｄが囲繞壁６Ｂを遠心方向に押圧しながら膨張する。
【００５９】
筒状とされたコアバッグ７Ｄは、外向きの膨張により、前記押圧面９Ｄをパネル８Ｂに圧接して囲繞壁６Ｂを内周から緊締状態で固定保持し、内向きの膨張により、天板２Ｃの栓部２４及び座板３Ｃの栓部２５を抱着し、床部２及び座部３を提供する。
【００６０】
これにより、緊締状態で固定保持された囲繞壁６Ｂとコアバッグ７Ｄが合体され、膨縮手段５と補強手段６の協働により、支持手段４を構成し、図示のようなキュービック状の作業用踏み台１が提供される。
【００６１】
従って、作業者が床部２に搭乗して高所作業を行う際、合体した膨縮手段５と補強手段６の協働により構成された支持手段４が作業者の荷重に対抗するので、荷重により膨縮手段５が圧縮変形されるようなことはなく、作業者を安定した状態で安全に支持することができる。
【符号の説明】
【００６２】
１  作業用踏み台
２  床部
２Ａ、２Ｂ、２Ｃ  天板
３  座部
３Ａ、３Ｂ、３Ｃ  座板
４  支持手段
５  膨縮手段
６  補強手段
６Ａ  支柱
６Ｂ  囲繞壁
７  バッグ
７Ａ  コアバッグ
７Ｂ  筒状バッグ
７Ｃ  筒状バッグ
７Ｄ  コアバッグ
８  骨部材
８Ａ  プレート
８Ｂ  パネル
９（９Ａ、９Ｂ、９Ｃ、９Ｄ）  押圧面
１０（１０Ａ、１０Ｂ、１０Ｃ、１０Ｄ）  吸排気口
１１  柱状キャビティ
１２  連通路
１３ａ  外周壁
１３ｂ  内周壁
１３ｃ  膨隆部
１４  筒状キャビティ
１５  中心空間部
１６  上壁
１７  窓孔
１８  保持シート
１９  連結部
２０、２１  栓部
２２  連結部
２２ａ  溝
２２ｂ  リブ
２３  窓孔
２４、２５  栓部
【図１】
2019203317.tif 000003
【図２】
2019203317.tif 000004
【図３】
2019203317.tif 000005
【図４】
2019203317.tif 000006
【図５】
2019203317.tif 000007
【図６】
2019203317.tif 000008
【図７】
2019203317.tif 000009
【図８】
2019203317.tif 000010
【図９】
2019203317.tif 000011
【図１０】
2019203317.tif 000012
【図１１】
2019203317.tif 000013
【図１２】
2019203317.tif 000014
【図１３】
2019203317.tif 000015